(57)【要約】      （修正有）【課題】従来のメモホルダーにおけるような複雑な工程及び高価な材料を必要とせず、無償配布が可能な程度に安価に製造可能であるメモホルダーを提供すること。【解決手段】本考案によるメモホルダー１は、一以上の爪１５，１６と、前記一以上の爪が挿入される一以上の切り込み１３，１４と、二以上の折り目とを有し、紙状の物体を挟み込むことが可能である。前記メモホルダーは、一枚の厚紙により形成されていてもよい。また、前記メモホルダーは、二つの蓋部１１，１２をさらに有し、前記爪の数が二であり、前記切り込みの数が二であり、前記二つの蓋部上に存在せずかつ前記二つの蓋部に接しない前記折り目が五本の谷折り線と一本の山折り線であるメモホルダーであってもよい。【選択図】図１
0003114010.tif 000002
【実用新案登録請求の範囲】
【請求項１】
一以上の爪と、前記一以上の爪が挿入される一以上の切り込みと、二以上の折り目とを有し、紙状の物体を挟み込むことが可能なメモホルダー。
【請求項２】
一枚の厚紙により形成された、請求項１に記載のメモホルダー。
【請求項３】
二つの蓋部をさらに有し、前記爪の数が二であり、前記切り込みの数が二であり、前記二つの蓋部上に存在せずかつ前記二つの蓋部に接しない前記折り目が五本の谷折り線と一本の山折り線である、請求項１又は２に記載のメモホルダー。
【考案の詳細な説明】
【技術分野】
【０００１】
本考案は、メモ用紙等の紙を挟むためのメモホルダーに関する。
【背景技術】
【０００２】
家庭等においてメモ書きを掲示しておくために、冷蔵庫や壁などに貼付又は固定可能なメモホルダーを使用すると便利である。このようなメモホルダーは、そのサイズによっては、メモ用紙のような小型の紙に限らず、例えばＡ４サイズの印刷物のようなより大型の紙をも保持することが可能である。
【０００３】
上記のようなメモホルダーとして、従来より、金属製の円筒を芯に使用した紙製のものやクリップ状の機構により挟み込む金属製のものが頒布されている。これらのメモホルダーはその製造にある程度の工程を要するため、材料費も考慮すれば無償で配布することはやや困難である。
【考案の開示】
【考案が解決しようとする課題】
【０００４】
本考案が解決しようとする課題は、従来のメモホルダーにおけるような複雑な工程及び高価な材料を必要とせず、無償配布が可能な程度に安価に製造可能であるメモホルダーを提供することである。
【課題を解決するための手段】
【０００５】
本考案によるメモホルダーは、一以上の爪と、前記一以上の爪が挿入される一以上の切り込みと、二以上の折り目とを有することにより、上記課題を解決する。
【０００６】
前記メモホルダーは、一枚の厚紙により形成されていてもよい。
【０００７】
前記メモホルダーは、二つの蓋部をさらに有し、前記爪の数が二であり、前記切り込みの数が二であり、前記二つの蓋部上に存在せずかつ前記二つの蓋部に接しない前記折り目が五本の谷折り線と一本の山折り線であるメモホルダーであってもよい。
【考案の効果】
【０００８】
本考案のメモホルダーは、少数の材料及び工程により安価かつ容易に製造可能であるため、メモホルダー製作に要する費用を大きく削減することができる。これにより、メモホルダーを販売促進のためなどに無償で配布することが可能となる。
【考案を実施するための最良の形態】
【０００９】
以下、図面を参照しながら本考案の実施の形態について説明する。
【００１０】
図１は、本考案によるメモホルダー１を組み立てる前の状態の展開図である。メモホルダー１は、折り曲げることが可能であって折り曲げ方向と反対方向に反発力を有する紙、合成樹脂又は金属等の材質により形成されている。好適には、メモホルダー１の材質は厚さ０．１〜２．５ミリメートル程度の一枚の厚紙である。
【００１１】
図１において、破線は山折りを示し、一点鎖線は谷折りを示す。図１において各線が示す折り目に従って各部を折り曲げることにより、メモホルダー１が組み立てられる。メモホルダー１は、その特徴的な部分として、蓋部１１，１２と、切り込み１３，１４と、爪１５，１６を有している。組み立て時には、爪１５は切り込み１３に挿入され、爪１６は切り込み１４に挿入される。
【００１２】
蓋部１１，１２は、組み立て時にそれぞれメモホルダー１の内側に折り込まれることにより、組み立て後のメモホルダー１の内部の状態を見えなくして外観を向上させるものである。なお、蓋部１１，１２が存在しなくてもメモホルダー１の機能を達成することは可能であるため、蓋部１１，１２が存在しない場合も本考案の範囲に含まれる。ここで、蓋部１１，１２とは、それぞれ図１におけるメモホルダー１の左辺、右辺から外側に突き出た部分全てを指す。図１に示すメモホルダー１は、蓋部１１，１２及びこれらと接する箇所を除いて、五本の谷折り線と一本の山折り線を有している。
【００１３】
図２Ａは、メモホルダー１の組み立て後の平面図である。図２Ａに示されるように、爪１５，１６は、それぞれ切り込み１３，１４からメモホルダー１の外部に向かって突き出ている。
【００１４】
図２Ｂは、メモホルダー１の組み立て後の側面図である。図２Ｂの下部に示される開口部の上縁は曲線となっているが、これはメモホルダー１の材質の硬度が低いことにより反りが起こるためである。材質の硬度が高い場合には前記開口部の上縁は直線となるが、この場合でもメモホルダー１の機能を達成することは可能である。従って、前記開口部の上縁が直線である場合も本考案の範囲に含まれる。
【００１５】
図３は、メモホルダー１の使用状態を示す平面図である。具体的には、図３は、図２Ｂの下部に示される開口部からメモホルダー１に紙２０を挿入した状態を示す。紙２０はメモホルダー１の内部において挟持されているが、具体的な挟持の状態は図４に示される。なお、紙と同等の厚さを有する紙状の物体であれば、メモホルダー１内部において挟持することは可能である。
【００１６】
図４は、メモホルダー１の使用状態を示す断面図である。図４は、図３上の一点鎖線ＡＡ´によるメモホルダー１の断面を示している。
【００１７】
メモホルダー１による紙２０の挟持は、挟持部１９において行われる。メモホルダー１の各折り目においては、厚紙等の材質の性質に起因する反発力が働いており、前記反発力はそれぞれの折り目を折られる前の状態に戻そうとする。その結果、挟持部１９において一定の力により紙２０が挟まれて固定される。
【００１８】
挟持部１９において紙２０を挟み込む力はさほど強いものではなく、利用者の手によりメモホルダー１を保持した状態で紙２０をメモホルダー１から離れる方向に軽く引っ張ることにより、紙２０を容易に取り外すことができる。
【００１９】
メモホルダー１の裏面にマグネットや接着面を設けることにより、メモホルダー１を冷蔵庫や壁などに固定してメモや各種印刷物の掲示に使用することが可能となる。メモホルダー１の大きさは任意であり、小型のメモ用紙に使用されるものから大型のポスターに使用されるものまで考えられる。
【００２０】
以上の実施例においては、特定の形状及び折り目の配置を有するメモホルダーを開示したが、メモホルダーの材質による折り目における反発力を利用して紙を挟持するものであれば、多少の変形があっても本考案の範囲に含まれ得る。
【産業上の利用可能性】
【００２１】
紙製、プラスチック製、金属製等のメモホルダーに利用することができる。特に、販売促進物としてのメモホルダーに利用することができる。
【図面の簡単な説明】
【００２２】
【図１】本考案によるメモホルダーを組み立てる前の状態の展開図である。
【図２Ａ】本考案のメモホルダーの組み立て後の平面図である。
【図２Ｂ】本考案のメモホルダーの組み立て後の側面図である。
【図３】本考案のメモホルダーの使用状態を示す平面図である。
【図４】本考案のメモホルダーの使用状態を示す断面図である。
【符号の説明】
【００２３】
１  メモホルダー
１１，１２  蓋部
１３，１４  切り込み
１５，１６  爪
１９  挟持部
２０  紙
Ａ，Ａ´  断面
【図１】
0003114010.tif 000003
【図２Ａ】
0003114010.tif 000004
【図２Ｂ】
0003114010.tif 000005
【図３】
0003114010.tif 000006
【図４】
0003114010.tif 000007
【手続補正書】
【提出日】平成17年7月4日(2005.7.4)
【手続補正１】
【補正対象書類名】実用新案登録請求の範囲
【補正対象項目名】全文
【補正方法】変更
【補正の内容】
【実用新案登録請求の範囲】
【請求項１】
一以上の爪と、前記爪を挿入することが可能な一以上の切り込みと、二以上の折り目を備えたメモホルダーであって、
前記折り目に沿って各部を折り曲げ、前記切り込みに前記爪を挿入した状態において、
前記折り目により区切られた部分のうちの二つによって紙状の物体を挟み込むことが可能なメモホルダー。
【請求項２】
一枚の厚紙により形成された、請求項１に記載のメモホルダー。
【請求項３】
二つの蓋部をさらに備え、前記爪の数が二であり、前記切り込みの数が二であり、前記折り目が五本の谷折り線と一本の山折り線を含む、請求項１又は２に記載のメモホルダー。